(57)【特許請求の範囲】
【請求項１】
毛髪化粧料を収容した容器の噴出口部に着脱自在に取り付けられる櫛部本体を備え、該櫛部本体の基台に複数本の櫛歯を立設し、前記櫛部本体内には前記噴出口部に連通する毛髪化粧料導入路を設けると共に、該毛髪化粧料導入路から前記基台面に連通する複数の毛髪化粧料吐出孔を設けた毛髪化粧料塗布用具において、前記各毛髪化粧料吐出孔の中心部に対向する位置に各吐出孔からの毛髪化粧料の飛散を防止する飛散防止体を設けたことを特徴とする毛髪化粧料塗布用具。
【請求項２】
前記各毛髪化粧料吐出孔は基台の中央部長手方向に設けられると共に、前記各櫛歯は基台の幅方向両端縁の長手方向に設けられ、該毛髪化粧料吐出孔と両端縁の櫛歯との間に多数の毛からなる植毛部を長手方向に配設した請求項１記載の毛髪化粧料塗布用具。
【請求項３】
前記各櫛歯は板状体から構成され、かつ、前記各毛髪化粧料吐出孔は該板状体から構成される各櫛歯間に設けた請求項１又は２記載の毛髪化粧料塗布用具。
【請求項４】
前記各毛髪化粧料吐出孔の上部と飛散防止体との間に吐出流路を設けると共に、該各吐出流路の吐出口を飛散防止体の両側に設け、かつ、該各吐出口の口径を毛髪化粧料吐出孔よりも大きく形成した請求項１又は２記載の毛髪化粧料塗布用具。
【請求項５】
前記各吐出流路の断面積が毛髪化粧料吐出孔から吐出口まで次第に大きくなるように形成した請求項４記載の毛髪化粧料塗布用具。
【請求項６】
毛髪化粧料を収容した容器の噴出口部に着脱自在に取り付けられる櫛部本体を備え、該櫛部本体の基台に複数本の櫛歯を立設し、前記櫛部本体内には前記噴出口部に連通する毛髪化粧料導入路を設けると共に、該毛髪化粧料導入路から前記基台面に連通する複数の毛髪化粧料吐出孔を設けた毛髪化粧料塗布用具において、前記各櫛歯は板状体から構成され、その中央部に毛髪化粧料の飛散を防止する切り欠き部を設け、かつ、前記各毛髪化粧料吐出孔は該各切り欠き部の下方に位置するように設けたことを特徴とする毛髪化粧料塗布用具。
【発明の詳細な説明】
【０００１】
【産業上の利用分野】
本発明は、液状、ムース状の整髪料や毛染め料等の毛髪化粧料を収容した容器の噴出口部に着脱自在に取り付けられる櫛部本体を備えた毛髪化粧料塗布用具に関する。
【０００２】
【従来の技術】
このような毛髪化粧料塗布用具は、従来より数多く案出されており、例えば、図２２に示すように、ムース状の整髪料や毛染め料等の毛髪化粧料を収容した容器１の噴出口部に着脱自在に取り付けられる櫛部本体２を備えてなるものであり、該櫛部本体２の基台２ａに多数の櫛歯３、３…が立設され、基台２ａに直接容器１内に収容される毛髪化粧料を吐出する吐出孔４、４…を設けたものが知られている（実開昭６２−１０９００２号公報等）。
しかしながら、この毛髪化粧料塗布用具は、各吐出孔４が櫛部本体２の基台２ａの外部にでており、特に、ムース状の毛髪化粧料に発泡性がある場合は、櫛部本体２外への毛髪化粧料の飛散を防止することができなかった。たとえ、ムース状の毛髪化粧料が吐出孔４の上に滞留していても発泡しながら吐出孔４より吐出する毛髪化粧料は、このムース状の泡をつき抜け櫛部本体２外へ飛散してしまい、毛髪化粧料が櫛歯３の基台２ａ面上に均一に供給されないという問題点があった。
【０００３】
このような問題点を解決した毛髪化粧料塗布用具５としては、図２３に示すように、ブラシ部５ａと、該ブラシ部５ａと一体化した毛髪化粧料容器の内部から前記ブラシ部５ａの内部を経由し、ブラシ歯５ｂ近傍に開口した連通管５ｃと、該連通管５ｃの噴出口５ｄから噴出する毛髪化粧料が衝突することにより減勢する流動抵抗板５ｅとを備えたものであり、吐出した液は単一の噴出口５ｄより液を吐出し流動抵抗板５ｅにより吐出の勢いを減勢してブラシ歯５ｂの基部に液を供給するものが知られている（実開平５−９３２５２号公報）。
【０００４】
また、図２４に示すように、泡状化粧料を収容し、該泡状化粧料を噴出させる噴出口６ａ及び該噴出口６ａから該泡状化粧料を噴出させる噴出操作部６ｂを有する化粧料容器６ｃに、複数本の中空櫛歯６ｄを有し且つその基台６ｅ内に化粧料充填室６ｆを設けた櫛本体６ｇを、取り付け部材６ｈを介して取り付けた泡状化粧料塗布用具６において、上記化粧料充填室６ｆの内部断面積に対し、３０〜７０％の断面積を有する泡放出管６ｉを、その基端６ｊを上記噴出口６ａに連通させ且つその先端６ｋを上記化粧料充填室６ｆ内に該化粧料充填室の長さに対して３５〜６５％の位置に存させて配設すると共に、上記中空櫛歯６ｄに、該中空櫛歯の長さに対しその先端から０〜４０％の位置に開口部６ｍを設け、泡状化粧料を中空櫛歯６ｄ全体に噴出してなるものも知られている（特開平５−１５４０７号公報）。
【０００５】
しかしながら、上記実開平５−９３２５２号公報に開示の毛髪化粧料塗布用具５では、毛髪化粧料がブラシ歯５ｂの根本に均一に供給されないという問題があった。すなわち、吐出された毛髪化粧料は流動抵抗板５ｅにあたり、ブラシ歯５ｂから外への直接の飛び出しは防げるが、容器の保持する方向によりブラシ歯５ｂの根本に均一に供給されない場合がある。また、吐出された毛髪化粧料がブラシ歯５ｂの根本の空間部に多量に滞留するため、ムース状になっている場合はまだしも時間の経過と共に液化しブラシ歯５ｂより垂れることがあり、特に、毛染め料の場合、肌に付着してしまう等の課題がある。また、ムース状でない毛髪化粧料でも上記と同様の問題がありその使用が難しい点に課題がある。
【０００６】
また、上記特開平５−１５４０７号公報に開示の泡状化粧料塗布用具６では、櫛歯６ｄは、中空に形成されたものであり、しかも、中空櫛歯の長さに対しその先端から０〜４０％の位置に開口部６ｍを設ける構造であるので、先端から近い位置に形成した開口部では未だ吐出された泡状毛髪化粧料が、直接櫛歯６ｄから外へ飛散し、周囲を汚すなどの課題があり、また、中空櫛歯及びその開口部の成形は金型が複雑化し、さらに、使用後の洗浄も櫛歯が中空構造であるため、中空内に残存する泡状毛髪化粧料の洗浄作業も煩雑となり、しかも、泡状化粧料塗布用具６では部品点数が多く、製造コストが高くなる点に課題がある。
【０００７】
【発明が解決しようとする課題】
本発明は、上記従来の課題を解決することにあり、毛髪化粧料の飛散を確実に防止して毛髪化粧料を櫛部本体の基台に均一に分散することができると共に、使用性に優れ、しかも、低コストで製造することができる毛髪化粧料塗布用具を提供することを目的とする。
【０００８】
【課題を解決するための手段】
本発明者らは、上記従来の課題を解決するために鋭意研究を重ねた結果、櫛部本体に特定の構造を備えることにより上記目的の毛髪化粧料塗布用具を得ることに成功し、本発明を完成するに至ったのである。
すなわち、本発明の毛髪化粧料塗布用具は、毛髪化粧料を収容した容器の噴出口部に着脱自在に取り付けられる櫛部本体を備え、該櫛部本体の基台に複数本の櫛歯を立設し、前記櫛部本体内には前記噴出口部に連通する毛髪化粧料導入路を設けると共に、該毛髪化粧料導入路から前記基台面に連通する複数の毛髪化粧料吐出孔を設けた毛髪化粧料塗布用具において、前記各毛髪化粧料吐出孔の中心部に対向する位置に各吐出孔からの毛髪化粧料の飛散を防止する飛散防止体を設けたことを特徴とする。
前記各毛髪化粧料吐出孔は基台の中央部長手方向に設けると共に、前記各櫛歯は基台の幅方向両端縁の長手方向に設け、該毛髪化粧料吐出孔と両端縁の櫛歯との間に多数の毛からなる植毛部を長手方向に配設することが好ましい。
前記各櫛歯は板状体から構成され、かつ、前記各毛髪化粧料吐出孔は該板状体から構成される各櫛歯間に設けることが好ましい。
前記各毛髪化粧料吐出孔の上部と飛散防止体との間に吐出流路を設けると共に、該各吐出流路の吐出口を飛散防止体の両側に設け、かつ、該各吐出口の口径を毛髪化粧料吐出孔よりも大きく形成することが好ましい。
前記各吐出流路の断面積が毛髪化粧料吐出孔から吐出口まで次第に大きくなるように形成することが好ましい。
また、本発明の毛髪化粧料塗布用具は、毛髪化粧料を収容した容器の噴出口部に着脱自在に取り付けられる櫛部本体を備え、該櫛部本体の基台に複数本の櫛歯を立設し、前記櫛部本体内には前記噴出口部に連通する毛髪化粧料導入路を設けると共に、該毛髪化粧料導入路から前記基台面に連通する複数の毛髪化粧料吐出孔を設けた毛髪化粧料塗布用具において、前記各櫛歯は板状体から構成され、その中央部に毛髪化粧料の飛散を防止する切り欠き部を設け、かつ、前記各毛髪化粧料吐出孔は該各切り欠き部の下方に位置するように設けたことを特徴とする。
【０００９】
【作用】
本発明の毛髪化粧料塗布用具は、吐出する毛髪化粧料が吐出孔の中心部に対向する位置に各吐出孔からの飛散防止体又は板状体から構成される切り欠き部によりその飛散が防止されるので、毛髪化粧料が櫛部本体外に飛散することがなく、毛髪化粧料は櫛部本体の基台面に均一に分散されることとなる。
【００１０】
【実施例】
次に、本発明の毛髪化粧料塗布用具の実施例を図１〜図２１に基づいて説明する。
図１〜図３は、本発明の第１実施例を示すものである。本実施例の毛髪化粧料塗布用具Ａは、ムース状の毛髪化粧料を収容した容器１０の噴出口部１１に着脱自在に取り付けられる櫛部本体２０を備えている。
【００１１】
櫛部本体２０の基台２１には、図２に示すように、長手方向両端縁に側壁部２２、２２が一体に設けられ、幅方向両端の側壁部２２、２２間に複数本の櫛歯２３、２３…が長手方向に直列状に立設されている。櫛部本体２０内には、前記噴出口部１１に連通する毛髪化粧料導入路２４が設けられると共に、該毛髪化粧料導入路２４から前記基台２１面に連通する複数の毛髪化粧料吐出孔２５、２５…が設けられている。また、櫛部本体２０の外周下部には、操作部２６が設けられている。
【００１２】
前記各毛髪化粧料吐出孔２５、２５…は、櫛部本体２０の基台２１中央部に設けられ、その毛髪化粧料吐出孔の中心部に対向する位置に各吐出孔からの飛散を防止する棒状の飛散防止体２７が側壁部２２、２２間に取り付けられている。
この飛散防止体２７の取り付け位置は、吐出孔２５、２５…真上であれば基台２１面上でどの位置にあっても毛髪化粧料の飛散は防げるが、飛散防止体２７があまり吐出孔２５、２５…に近すぎると、残存する毛髪化粧料が乾燥により吐出孔２５、２５…を塞ぐおそれもあるので、基台２１面より適度に離した位置、少なくとも、０．５ｍｍ以上離隔して設けた方が望ましい。また、飛散防止体２７の幅寸法は、吐出孔２５、２５…の幅（直径）寸法より大きく設定されており、該吐出孔２５、２５…から吐出する毛髪化粧料を必ず飛散防止体２７に当たりその飛散が防止される構造となっている。
本実施例では、断面丸形状の棒状の飛散防止体２７の例を示しているが、この形状は毛髪化粧料の液特性により適宜種々の形状に形成することができる。
【００１３】
このように構成される本実施例の毛髪化粧料塗布用具Ａは、その使用に際しては、上記操作部２６を下側へ押圧すると、容器１０内に備えたバルブ機構（図示せず）により、噴出口部１１より毛髪化粧料が噴出され、該毛髪化粧料は櫛本体２０内の導入路２４に送り込まれる。導入路２４と外部との連絡は吐出孔２５、２５…のみのため、毛髪化粧料は吐出孔２５、２５…より基台２１面へ吐出される。
吐出された毛髪化粧料は、吐出孔２５、２５…上に設けられている飛散防止体２７にあたり勢いを失い、この飛散防止体２７の周囲でムース状に発泡膨張して、櫛歯２３の周囲にムース状の塊をつくる。
なお、操作部２５を離すことにより、バルブ機構は、閉塞する構造となっており、また、該操作部２５の押圧操作を調節することにより毛髪化粧料の吐出量をコントロールすることができる。
【００１４】
上記櫛歯２３の周囲にムース状の塊がある状態で毛髪に対して櫛歯２３でとかすように塗布することで、このムース状の毛髪化粧料をきわめて容易に毛髪全体に均一に塗布することができ、従って、ムース状の毛髪化粧料が、時間がたち液状になった場合でも基台２１面に多量の毛髪化粧料が残存することがなく液ダレも防止されることとなる。
本実施例では、飛散防止体２７により吐出の勢いを調節することができ、また、大気中に出て液体中の気化しやすい成分の急激な気化による膨張の勢いによる空中への飛散を防止することができるので、櫛部本体２０外への飛散による周囲の汚れを防ぎ、基台２１面に均一に毛髪化粧料を分散させ、その使用性を向上させることができる。
【００１５】
図４〜図６は、本発明の第２実施例を示すものである。なお、前記第１実施例と同様の構成は同一符号をもって示し、その説明は省略する（以下の実施例においても同様）。
本実施例の毛髪化粧料塗布用具Ｂは、前記第１実施例の毛髪化粧料塗布用具Ａに更に、櫛部本体２０の毛髪化粧料吐出孔２５、２５…の周囲、すなわち、両端の直列状の櫛歯２３と直列状の吐出孔２５との間に多数の毛からなる植毛部２８、２８…を設けた点でのみ前記第１実施例の毛髪化粧料塗布用具Ａと異なるものであり、同様に使用されるものである。
【００１６】
本実施例の毛髪化粧料塗布用具Ｂでは、吐出孔２５、２５…から出た毛髪化粧料が、飛散防止体２７に触れ飛散防止体２７を被覆するように、かつ、吐出孔２５、２５…と直角方向にも拡がり、また、吐出する毛髪化粧料が液体のときは各植毛部２８、２８…に液がふくまれ、液の櫛歯２３、２３方向への液ダレを防止しかつ毛髪への塗布を容易にすることとなる。また、液がムース状の場合、発泡、膨張した毛髪化粧料が、植毛部２８、２８…に触れ、植毛部２８内に留まり膨張するため櫛歯２３やその他へ毛髪化粧料が出ることがない。
この植毛部２８を設けることにより、ムース状の毛髪化粧料を多く吐出させたとしても、ムース状の毛髪化粧料は、この植毛部２８にとらえられて櫛歯２３側に流出し難いものとなる。このため、吐出のためのバルブ機構開閉のタイミング（開時間）を厳密に行なう必要がなくなり、また、ムース状の毛髪化粧料が時間と共に気体が抜け、液状状態になったときでも、この植毛部２８に毛髪化粧料が保持され液ダレで手や周囲を汚すことがなくなる利点を有する。
なお、この植毛部２８を設けた場合でも、各植毛部２８、２８…を適度の間隔と毛量で行なうことで毛髪に塗布したとき毛髪のとおりも良く塗布性も向上させることとなる。
【００１７】
また、本実施例の毛髪化粧料塗布用具Ｂは、容器１０の毛髪化粧料がムース状である場合に特に有効であり、また、吐出力が強く、吐出孔２５、２５…より毛髪化粧料が飛散する可能性の有るものに対しても効果がある。
また、櫛歯２３の長さと植毛部２８の高さ方向の長さの関係では、特に、毛髪化粧料が毛染め料の場合、肌への毛髪化粧料の接触を防ぐため、櫛歯２３の先端より植毛部２８の毛の先端が低くなるように設定することが望ましい。
さらに、櫛歯２３の形状については、全周にわたり細い櫛歯を設けることも可能である。
【００１８】
図７〜図８は、本発明の第３実施例を示すものである。本実施例の毛髪化粧料塗布用具Ｃは、各櫛歯２３が板状体から構成された点、各毛髪化粧料吐出孔２５、２５…は板状体から構成される各櫛歯２３、２３間に設けられた点及び飛散防止体２７が各櫛歯２３、２３を貫通して取り付けられた点でのみ前記第１実施例の毛髪化粧料塗布用具Ａと異なるものであり、同様に使用されるものである。なお、各櫛歯２３、２３間に上記第２実施例の植毛部２８を設けてもよい。
【００１９】
図９〜図１０は、本発明の第４実施例を示すものである。本実施例の毛髪化粧料塗布用具Ｄは、毛髪化粧料吐出孔２５、２５…を一列から二列に並列にした点及び飛散防止体２７が基台２１ａから一体に設けられるく字状の飛散防止体からなる点でのみ前記第１実施例の毛髪化粧料塗布用具Ａと異なるものであり、同様に使用されるものである。なお、吐出孔２５、２５…の周囲に上記第２実施例の植毛部２８を設けてもよい。
【００２０】
図１１〜図１５は、本発明の第５実施例を示すものである。本実施例の毛髪化粧料塗布用具Ｅは、図１５に示すように、各毛髪化粧料吐出孔２５の上部と飛散防止体２７との間に吐出流路２８、２８を設けると共に、該吐出流路２８、２８の吐出口２９、２９を飛散防止体２７の両側に設け、かつ、該吐出口２９、２９の口径を毛髪化粧料吐出孔２５よりも大きく形成した点、該吐出口２９、２９と基台２１とを同一面とした点、噴出口部１１に噴出アダプター１２を取り付けた点及び側壁部２２、２２を櫛歯とした点でのみ前記第１実施例の毛髪化粧料塗布用具Ａと異なるものであり、同様に使用されるものである。
前記吐出流路２８、２８は、飛散防止体２７の内壁傾斜面２７ａ、２７ａと基台２１内に形成した傾斜面２１ａ、２１ａにより構成されるものである。
【００２１】
本実施例の毛髪化粧料塗布用具Ｅでは、容器１０から噴出した毛髪化粧料は導入路２４をとおり吐出孔２５に至る。該吐出孔２５を出た毛髪化粧料は飛散防止体２７に当たり、吐出流路２８、２８をとおって吐出口２９、２９に出て基台２１面に均一に分散されることとなる。本実施例では、毛髪化粧料吐出孔２５の大きさよりも拡大した吐出口２９、２９を二つ設けたものであるので、その毛髪化粧料の吐出力を更に抑制することができ、前記第１実施例の毛髪化粧料塗布用具Ａよりも基台２１面に更に均一に分散されることとなる。
【００２２】
図１６は、本発明の第６実施例を示すものである。本実施例の毛髪化粧料塗布用具Ｆは、基台２１内に形成した傾斜面２１ａ、２１ａの傾斜角度を更に低くして前記吐出流路２８、２８の断面積を毛髪化粧料吐出孔２５から吐出口２９、２９まで次第に大きくなるように形成した点でのみ前記第５実施例の毛髪化粧料塗布用具Ｅと異なるものであり、同様に使用されるものである。
本実施例の毛髪化粧料塗布用具Ｅでは、特に、気体を含んだムース状の毛髪化粧料の場合、吐出孔２５を出て飛散防止体２７に当たり、吐出流路２８、２８を通過している間も発泡膨張しているので、体積が増大する。そのため、前記吐出流路２９、２９の断面積を毛髪化粧料吐出孔２５から吐出口２９、２９まで次第に大きくなるに形成したものであり、その毛髪化粧料の吐出力を更に抑制することができることとなる。
【００２３】
図１７〜図１９は、本発明の第７実施例を示すものである。本実施例の毛髪化粧料塗布用具Ｇは、櫛歯２３が板状体から構成され、その中央部に毛髪化粧料の飛散を防止する切り欠き部３０を設けた点、前記毛髪化粧料吐出孔２５に円筒状吐出口部３１を設けた点、上記切り欠き部３０の下方に該円筒状吐出口部３１を配設した点でのみ前記第１実施例の毛髪化粧料塗布用具Ａと異なるものであり、同様に使用されるものである。
本実施例の毛髪化粧料塗布用具Ｇは、飛散散防止体と櫛歯とを一体としたものであるので、部品点数を削減することができ、その製造コストを更に低減できる利点を有する。
【００２４】
図２０〜図２１は、本発明の第８実施例を示すものである。本実施例の毛髪化粧料塗布用具Ｈは、円筒状吐出口部３１を削除して毛髪化粧料吐出孔２５を基台２１面に設けた点及び上記切り欠き部３０の大きさを小さくした点でのみ前記第７実施例の毛髪化粧料塗布用具Ｅと異なるものであり、同様に使用されるものである。
【００２５】
本発明は、上述のように構成され、使用されるものであるが、上記実施例に限定されるものではなく、本発明の要旨を変更しない範囲内で種々の態様に設計変更等できるものである。
本発明の毛髪化粧料塗布用具は、毛髪化粧料を収容した容器の噴出口部に着脱自在に取り付けられる櫛部本体を備え、該櫛部本体の基台に複数本の櫛歯を立設し、前記櫛部本体内には前記噴出口部に連通する毛髪化粧料導入路を設けると共に、該毛髪化粧料導入路から前記基台面に連通する複数の毛髪化粧料吐出孔を設け、該各毛髪化粧料吐出孔の上部に毛髪化粧料の飛散を防止する飛散防止体等を設けたものであれば、その他の構造は特に限定されるものではなく、例えば、櫛部を構成する櫛歯の形状、本数は特に限定されず、また、導入路２４の断面積を噴出口部１１から離れる程、縮径するようにしたものでもよく、更に、導入路２４を大きく形成してその中に噴出口部１１に接続される放出管を導入路２４の中央部付近に配置してもよく、更にまた、容器の噴出口部１１と櫛体２０とを支持部材を介して取り付けたものであってもよい。
【００２６】
【発明の効果】
本発明によれば、各毛髪化粧料吐出孔の中心部に対向する位置に各吐出孔からの毛髪化粧料の飛散を防止する飛散防止体が設けられているので、各毛髪化粧料吐出孔から吐出された毛髪化粧料は飛散防止体に当たることとなるので、櫛部本体外への飛散が防止され、しかも、毛髪化粧料が櫛部本体の基台上に均一に分散する使用性に優れた毛髪化粧料塗布用具が提供される。
また、各毛髪化粧料吐出孔を基台の中央部長手方向に設けると共に、各櫛歯を基台の幅方向両端縁の長手方向に設け、該毛髪化粧料吐出孔と両端縁の櫛歯との間に多数の毛からなる植毛部を長手方向に配設した毛髪化粧料塗布用具では、毛髪化粧料を多く吐出させたとしても、毛髪化粧料は、この植毛部にとらえられて櫛歯側に流出し難いものとなり、毛髪化粧料が保持され液ダレで手や周囲を汚すことがなくなる利点を有する。
さらに、各櫛歯を板状体から構成し、かつ、各毛髪化粧料吐出孔を板状体から構成される各櫛歯間に設けた毛髪化粧料塗布用具では、その成形を容易にすることができる利点を有する。
更にまた、各毛髪化粧料吐出孔の上部と飛散防止体との間にそれぞれ吐出流路を設けると共に、該各吐出流路の吐出口を飛散防止体の両側に設け、かつ、該各吐出口の口径を毛髪化粧料吐出孔よりも大きく形成した毛髪化粧料塗布用具では、その毛髪化粧料の吐出力を抑制することができ、基台面に毛髪化粧料を更に均一に分散させることができる利点を有する。また、上記各吐出流路の断面積を毛髪化粧料吐出孔から吐出口まで次第に大きくなるように形成すれば、更にその毛髪化粧料の吐出力を抑制することができる利点を有する。
さらに、各櫛歯を板状体から構成し、その中央部に毛髪化粧料の飛散を防止する切り欠き部を設け、かつ、各毛髪化粧料吐出孔を該各切り欠き部の下方に位置するように設けた毛髪化粧料塗布用具では、複雑な金型を必要とせず、部品点数を更に削減することができ、その製造コストを低減できる利点を有する。
【図面の簡単な説明】
【図１】本発明の第１実施例を示す断面図である。
【図２】本発明の第１実施例を示す平面図である。
【図３】本発明の第１実施例を示す斜視図である。
【図４】本発明の第２実施例を示す斜視図である。
【図５】本発明の第２実施例を示す断面図である。
【図６】本発明の第２実施例を示す平面図である。
【図７】本発明の第３実施例の要部を示す斜視図ある。
【図８】図７の縦断面図である。
【図９】本発明の第４実施例の要部を示す斜視図である。
【図１０】図９の横断面図である。
【図１１】本発明の第５実施例を示す断面図である。
【図１２】本発明の第５実施例を示す平面図である。
【図１３】本発明の第５実施例を示す左側面図である。
【図１４】本発明の第５実施例の要部を示す部分拡大斜視図である。
【図１５】図１２のａ−ａ線拡大断面図である。
【図１６】本発明の第６実施例の要部を示す拡大断面図である。
【図１７】本発明の第７実施例を示す断面図である。
【図１８】本発明の第７実施例を示す左側面図である。
【図１９】本発明の第７実施例の要部を示す部分拡大斜視図ある。
【図２０】本発明の第８実施例の要部を示す斜視図である。
【図２１】図２０の縦断面図である。
【図２２】従来例を示す斜視図である。
【図２３】従来の他例を示す断面図である。
【図２４】従来の他例を示す断面図である。
【符号の説明】
Ａ    第１実施例の毛髪化粧料塗布用具
１０  毛髪化粧料容器
１１  噴出口部
２０    櫛部本体
２１  基台
２３    櫛歯
２４    毛髪化粧料導入路
２５    毛髪化粧料吐出孔
２７  飛散防止体
【図１】
0003617539.tif 000002
【図２】
0003617539.tif 000003
【図３】
0003617539.tif 000004
【図４】
0003617539.tif 000005
【図５】
0003617539.tif 000006
【図６】
0003617539.tif 000007
【図７】
0003617539.tif 000008
【図８】
0003617539.tif 000009
【図９】
0003617539.tif 000010
【図１０】
0003617539.tif 000011
【図１１】
0003617539.tif 000012
【図１２】
0003617539.tif 000013
【図１３】
0003617539.tif 000014
【図１４】
0003617539.tif 000015
【図１５】
0003617539.tif 000016
【図１６】
0003617539.tif 000017
【図１７】
0003617539.tif 000018
【図１８】
0003617539.tif 000019
【図１９】
0003617539.tif 000020
【図２０】
0003617539.tif 000021
【図２１】
0003617539.tif 000022
【図２２】
0003617539.tif 000023
【図２３】
0003617539.tif 000024
【図２４】
0003617539.tif 000025